(57)【要約】  【課題】  物品の外観に与える影響を抑制しながら、物品に情報を後付で付与すること。  【解決手段】  ＩＤパターンを逆フーリエ変換したＩＤ画像を透明シートの表面に目立たない色で印刷する。透明シートの裏面には粘着材が塗布してあり、これを用いて透明シートを物品に貼付することができる。ＩＤ画像は、フーリエ変換することによりＩＤパターンを復元することができ、これによって、ＩＤパターンに紐付けられている情報をユーザに提示することができる。ＩＤ画像は、ＩＤパターンを復元するための情報が印刷面全体に広がったものとなるため、一部が読み取り不能となっても残りの部分からＩＤ画像を復元することができる。そのため、透明シートと物品に描かれた絵柄などが重なって、その部分のＩＤ画像が読み取りできない場合でも、それ以外の部分のＩＤ画像からＩＤパターンを復元することができ、ＩＤパターンの高い復元性を確保することができる。  【選択図】  図２
2006343893.tif 000002
【特許請求の範囲】
【請求項１】
周波数領域でＩＤ情報を規定したＩＤ画像が１の表面から識別可能に記録され、更に他の表面に粘着材が塗布されたことを特徴とするシート部材。
【請求項２】
前記シート部材は、透明シート部材により構成されていることを特徴とする請求項１に記載のシート部材。
【請求項３】
前記ＩＤ画像は、所定の単色からなり、所定の値以下の濃淡度により形成されていることを特徴とする請求項１、又は請求項２に記載のシート部材。
【請求項４】
前記ＩＤ画像は、印刷により前記１の表面に形成されていることを特徴とする請求項１、請求項２、又は請求項３に記載のシート部材。
【請求項５】
前記粘着材は、粘着対象に粘着した後、前記粘着対象からの剥離と再度の粘着が可能であることを特徴とする請求項１から請求項４までのうちの何れか１の請求項に記載のシート部材。
【発明の詳細な説明】
【技術分野】
【０００１】
本発明は、シート部材に関し、例えば、商品に後付でＩＤ情報を貼付するものに関する。
【背景技術】
【０００２】
物品に後付で情報を付与したい場合、シールなどの印刷媒体に付与したい情報を印刷して物品に貼り付けることが行われている。
例えば、商品の流通の過程で商品に情報を付与したい場合、付与したい情報を記録したバーコードやＩＣチップなどを商品の表面や商品を梱包している箱に貼り付けている。
【０００３】
このように物品に後付で情報を付与することにより、流通経路においては配送先などの情報を商品に付与したり、また、消費者に対しては、広告ウェブサイトのＵＲＬ（Ｕｎｉｆｏｒｍ  Ｒｅｓｏｕｒｃｅ  Ｌｏｃａｔｏｒｓ）を提供したりすることができる。
【０００４】
しかし、このように後付でシールを貼り付けることにより物品に情報を付与することができる一方、物品の外観に影響を与えるという問題があった。
例えば、ワインボトルはラベルの美しさが重要であり、ワインボトルにバーコードなどを印刷したシールを貼付することにより、外観を損ねる場合があった。
そこで、物品の外観を損なわないように後付で情報を付与する技術が次の文献で提案されている。
【０００５】
【特許文献１】特開２００１−４３０７４公報
【０００６】
この技術は、可視光を透過し、赤外線によりコード情報が読み取れるように作られた透明シートを物品に貼付するものである。
これによって、物品の外観を損ねずに情報を後付することができる。
【発明の開示】
【発明が解決しようとする課題】
【０００７】
しかし、この技術では、コード情報を赤外線で読み取り可能に記録するための特殊な透明フィルムが必要であり、また、赤外線によってコード情報を読み取るための特殊な検出装置が必要であった。
更に、赤外線を吸収する特殊インクで透明シートにコード情報を記録するように構成することも可能であり、この場合、印刷機側は汎用品を用いることもできるが、依然としてこれを検出するための特殊な検出装置が必要であり、ユーザが限定されてしまうという問題があった。
【０００８】
そこで、本発明の目的は、物品の外観に与える影響を抑制しながら、物品に情報を後付で付与することである。
【課題を解決するための手段】
【０００９】
本発明は、前記目的を達成するために、周波数領域でＩＤ情報を規定したＩＤ画像が１の表面から識別可能に記録され、更に他の表面に粘着材が塗布されたことを特徴とするシート部材を提供する（第１の構成）。
第１の構成において、前記シート部材は、透明シート部材により構成することができる（第２の構成）。
第１の構成、又は第２の構成において、前記ＩＤ画像は、所定の単色からなり、所定の値以下の濃淡度により形成することができる（第３の構成）。
第１の構成、第２の構成、又は第３の構成において、前記ＩＤ画像は、印刷により前記１の表面に形成することができる（第４の構成）。
第１の構成から第４の構成までのうちの何れか１の構成において、前記粘着材は、粘着対象に粘着した後、前記粘着対象からの剥離と再度の粘着が可能であるように構成することができる（第５の構成）。
【発明の効果】
【００１０】
本発明によれば、物品の外観に与える影響を抑制しながら、物品に情報を後付で付与することができる。
【発明を実施するための最良の形態】
【００１１】
（Ａ）実施の形態の概要
ＩＤパターンを逆フーリエ変換したＩＤ画像を透明シートの表面に目立たない色で印刷する。
透明シートの裏面には粘着材が塗布してあり、これを用いて透明シートを物品に貼付することができる。
【００１２】
ＩＤ画像は、フーリエ変換することによりＩＤパターンを復元することができ、これによって、ＩＤパターンに紐付けられている情報をユーザに提示することができる。
【００１３】
ＩＤ画像は、逆フーリエ変換によりＩＤパターンを復元するための情報が印刷面全体に広がったものとなるため、一部が読み取り不能となっても残りの部分からＩＤ画像を復元することができる。
そのため、透明シートと物品に描かれた絵柄などが重なって、その部分のＩＤ画像が読み取りできない場合でも、それ以外の部分のＩＤ画像からＩＤパターンを復元することができ、ＩＤパターンの高い復元性を確保することができる。
【００１４】
また、透明シートの下の物品の絵柄が透けて見えるため、物品の外観へ与える影響を抑制することができる。
更に、ＩＤ画像の印刷は、汎用のプリンタと汎用のインクを用いて行うことができ、透明シートの提供者は新たに設備投資する必要がない。
更に、ＩＤパターンの復元はカメラ付き携帯電話でＩＤ画像を撮影するなどして行うことができるため、透明シートの利用者も特殊な検出装置を備えなくても利用することができる。
【００１５】
本実施の形態では、透明シートを写真に張って、これを用いてサーバ上のアルバムを管理する例と、ワインのラベルに張って、ユーザに広告を提供する例について説明する。
【００１６】
（Ｂ）実施の形態の詳細
図１を用いて、本実施の形態で用いるＩＤパターンとＩＤ情報の関係について説明する。
まず、本実施の形態では、ＩＤ情報であるＩＤパターン１０を周波数領域にて定義する。
ＩＤパターン１０は、内周円と外周円の周上に点で構成されたＩＤパターン成分１６を配置して構成されている。
【００１７】
垂直方向の軸と水平方向の軸の原点が低周波数側で、原点から離れるほど高周波数側となっている。
なお、これはＩＤパターンの一例であって、円の個数、円の半径などをパラメータとして各種のＩＤパターンを定義することができる。
【００１８】
ＩＤパターン１０を逆フーリエ変換すると実空間でのＩＤ画像１１が得られる。ＩＤ画像１１は、画像全体に模様が拡散したものとなる。
なお、ＩＤパターンを規定する場合、このように逆フーリエ変換後の画像が画像全体に分散するようなものを選択するのが望ましい。
【００１９】
ＩＤパターン１０を逆フーリエ変換してＩＤ画像１１が得られるが、逆にＩＤ画像１１をフーリエ変換するとＩＤパターン１０が得られるという関係がある。
このように、適当なＩＤパターンを選択してフーリエ変換すると、ＩＤパターンを復元するための情報が画像全体に拡散し、物品の模様との重なりによる読み取り不能や、圧縮や切り取りなどの加工に対して耐性が生じる。
【００２０】
即ち、ＩＤパターンを規定する情報が画像全体に拡散するため、一部分が読み取りできなかったり、あるいは、ＩＤ画像を拡大縮小したり、一部を切り取ったりしても、ＩＤ画像に残っている情報からＩＤパターンを復元することができる。
実験によると、ＩＤ画像が５０％くらいまで失われても元のＩＤパターンを復元することができる。
【００２１】
本実施の形態では、ＩＤ画像１１を小規模な印刷装置で印刷できるようにするために２値化し、２値化したＩＤ画像１２を生成する。なお、２値化しないでＩＤ画像１１をそのまま適用してもよい。
そして、読取装置では読み取れるが肉眼では目立たない程度にＩＤ画像１２の濃淡度を調節し、これを透明シートに印刷してＩＤシート１３を生成する。
【００２２】
ＩＤシート１３の裏面は接着面となっており、接着剤が一様に塗布してある。また、使用時まで接着面が接着しないように、接着面には保護シートが貼り付けられており、使用時に保護シートを剥がしてＩＤシート１３を物品（粘着対象）に貼付する。
このように、ＩＤシート１３は、周波数領域でＩＤ情報を規定したＩＤ画像が１の表面から識別可能に記録され、更に他の表面に粘着材が塗布されたことを特徴とするシート部材を構成している。
【００２３】
ＩＤシート１３を物品に貼付した後、これをデジタルカメラなどで撮影してフーリエ変換すると、ＩＤパターン１５が得られる。
また、ＩＤシート１３の撮影画像をＩＤ画像１２が印刷されている色でフィルタリングして、ＩＤ画像１２を抽出すると、より明瞭なＩＤパターン１５を得ることができる。
【００２４】
ＩＤパターン１５では、ＩＤパターン成分１６が復元されるほか、ＩＤシート１３と重なった部分の絵柄などの背景の周波数成分１７も形成される。
しかし、背景の周波数成分１７は、低周波側に偏って分布する傾向があるため、周波数成分１７からＩＤパターン成分１６を識別して抽出することができる。
【００２５】
このようにしてＩＤパターン１５で復元されたＩＤパターン成分１６を抽出し、ＩＤパターン１０のＩＤパターン成分１６との一致を確認することにより、ＩＤシート１３に含まれていたＩＤ情報を特定することができる。
【００２６】
次にＩＤシート１３の利用例の一例について説明する。
この利用例は、サーバ上でアルバム管理サービスを提供するものであって、ユーザは、例えば、「七夕」や「友人の結婚式」などと、表題ごとに写真をグループ化してサーバに保存することができる。
【００２７】
ユーザは、各写真グループから見出しとなる写真を１枚程度ずつ選びこれをプリンタなどで印刷する。
各写真グループには、ＩＤパターンが対応付けられており、ユーザは、このＩＤパターンを逆フーリエ変換したＩＤ画像を印刷した写真に貼付する。
【００２８】
見出し写真を撮影すると、写真の映像と共にＩＤ画像も撮影される。そのため、サーバはこれをフーリエ変換してＩＤパターンを復元することにより写真グループを特定することができる。
そこで、ユーザが見出し写真を携帯カメラで撮影してサーバに送信すると、見出し写真に対応する写真グループにアクセスすることができる。
【００２９】
以下、この例の詳細について説明する。
図２は、ＩＤシート１３を利用して写真の管理を行う写真管理システムのシステム構成を示した図である。
【００３０】
写真管理システム２０は、写真預かりサーバ２１、ユーザ端末２２、プリンタ２３、カメラ２４、ＩＤシート１３、見出し写真２５、携帯電話２６などから構成されている。
図２で示した構成要素のうち、写真預かりサーバ２１以外のものは、ユーザごとに複数存在している。
【００３１】
写真預かりサーバ２１は、ユーザから写真データのアップロードを受け付けてこれを写真データベースに保管するサーバ装置であり、例えば、インターネットなどのネットワークを介してユーザ端末２２や携帯電話２６などと接続可能に配設されている。
【００３２】
写真預かりサーバ２１は、写真データのアップロードを受け付ける預かりサイトと、写真データへのアクセスを受け付ける閲覧サイトからなるウェブサイトを運営している。
【００３３】
カメラ２４は、デジタル式のカメラであり、例えば、ＣＣＤ（Ｃｈａｒｇｅ−Ｃｏｕｐｌｅｄ  Ｄｅｖｉｃｅ）などで構成された受光素子面に対物レンズで撮影対象の像を結像させ、これをデジタルデータに変換する。
【００３４】
カメラ２４は、例えば、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）などで構成された記憶媒体を内蔵しており、受光素子面で生成された画像データを所定の圧縮形式にて圧縮して記憶媒体に格納する。なお、圧縮しないで受光面で生成した画像データのまま格納してもよい。
【００３５】
ユーザ端末２２は、例えば、パーソナルコンピュータなどのコンピュータで構成されている。
ユーザ端末２２は、インターフェースを介して写真預かりサーバ２１、カメラ２４、プリンタ２３、その他の外部機器と通信を行うことができる。
【００３６】
プリンタ２３は、ＩＤシート１３や見出し写真２５を印刷するための印刷装置である。
ユーザは、ユーザ端末２２にインストールされたユーザインターフェースを用いてプリンタ２３を操作することができる。
プリンタ２３は、透明シートにＩＤ画像を印刷してＩＤシート１３を作成するのに用いるほか、写真データを用いて紙などの印刷媒体上に見出し写真２５を印刷するのに用いる。
【００３７】
ＩＤシート１３を印刷する場合は、プリンタ２３に透明シートを供給した後、ユーザ端末２２からプリンタ２３にＩＤ画像を印刷するための印刷データを送って印刷させる。
【００３８】
印刷色は、例えば、目立たない黄色系統の単色を用い、プリンタ２３は、所定の濃淡度でＩＤシート１３を印刷する。印刷色や濃淡度はユーザが設定することができる。所定の単色を用いることにより、この色を透過するフィルタを用いてＩＤ画像を容易に抽出することができる。
見出し写真２５を印刷する場合は、印刷用紙をプリンタ２３に供給した後、プリンタ２３に写真を印刷するための印刷データを送って印刷させる。
【００３９】
ここで、プリンタ２３についてより詳細に説明する。
プリンタ２３の印刷方式としては、インパクト方式、及びノンインパクト方式のものを各種利用することができる。
インパクト方式のものとしては、例えば、印刷ヘッドのピンを印刷媒体に打ち付けることによりインク・リボンのインクを転写するものがある。
【００４０】
この方式では、印刷情報に従って印刷媒体上にインクのドットを分布させることによりＩＤ画像と印刷内容を印刷する。
なお、見出し写真２５が精細な画像で構成される場合は、ノンインパクト方式の方が適しているため、この場合は、見出し写真２５の印刷により適したプリンタを別途用意するようにしてもよい。
【００４１】
一方、ノンインパクト方式のものとしては、例えば、熱転写方式がある。これは、印刷媒体に含まれる感熱紙インクをサーマルヘッドの通電により発生したジュール熱で発色させるものである。熱転写方式は、印刷装置が小型・軽量、メンテナンスフリーとなるため、キャッシュレジスタなどの簡易な印刷機能を備えた装置で多用されている。
この他のノンインパクト方式のものとしては、インクジェットを用いたものやレーザを用いたものなどがある。これらインクジェットやレーザを用いたプリンタは、高精細な画像を印刷するのに適している。
【００４２】
また、画像の濃淡度を調節する方式として印刷単位である面素（セル）内の濃度を変化させる濃度階調方式と、面素内のドット面積比率を変化させる面積階調方式がある。
濃度階調方式で濃淡度を調節する場合は、例えば、インクジェット方式の場合、インクの量を調節したり、あるいは、インクの色を調節するなどして調節する。
【００４３】
また、ＩＤ画像はデジタルデータにより構成されているが、デジタル方式で面積階調を行う場合は、画素を２値ドットで形成することが一般に行われている。
この場合、プリンタ２３は、図３の模式図に示したように、面積階調を矩形形状を有する（他の形状でも良い）単一の２値ドットに対応させ、この２値ドットの配置により面積階調を行う機能を備えている。
【００４４】
図３では、面素６３内の面積の小さいドットを面素６４内の２値ドット１つに対応させ、面素６５内の面積の中くらいのドットを面素６６内の２値ドット３つに対応させ、更に、面素６７内の面積の大きなドットを面素６８内の２値ドット９つに対応させている。
【００４５】
ＩＤ画像の濃淡度は、ＩＤシート１３を試し刷りすることにより、予め見出し写真２５が透けて見える程度の濃淡度を調べておき、その濃淡度を上限値として印刷するようにする。
ただし、濃淡度が低すぎると携帯電話２６での読み取りができなくなるため、予め読み取れる下限値も調べておく。
そして、ユーザは、この上限値と下限値の間の濃淡度にてＩＤ画像を印刷する。
【００４６】
図２に戻り、携帯電話２６は、カメラ機能と、ネットワーク接続機能を有する携帯端末である。
携帯電話２６は、カメラ２４と同様の機能によるカメラ機能によって被写体を撮影することができ、また、ネットワーク経由で写真預かりサーバ２１にアクセスすることができる。
【００４７】
次に、以上のように構成された写真管理システム２０の利用方法を図２の括弧で示した番号に従って説明する。
（１）写真データの取得
ユーザは、カメラ２４を用いて被写体を撮影する。撮影した写真データは、カメラ２４が備えた記憶装置に記憶される。
次に、ユーザは、カメラ２４をユーザ端末２２に接続し、カメラ２４で記憶している写真データをカメラ２４からユーザ端末２２に送信する。
ユーザ端末２２は、カメラ２４から受信した写真データをハードディスクなどの記憶装置に記憶しておく。
【００４８】
（２）写真データのアップロード
ユーザは、ユーザ端末２２が備えたブラウザ機能を用いて写真預かりサーバ２１の預かりサイトにアクセスし、写真データのアップロードを要求する。
この際、写真預かりサーバ２１は、ユーザＩＤやパスワードなどによるユーザ認証を行い、ユーザを特定する。
【００４９】
そして、ユーザは、ユーザ端末２２で記憶しておいた写真データと、これら写真に設定する表題を写真預かりサーバ２１に送信する。
写真預かりサーバ２１は、送信された写真データを写真グループとしてグループ化し、これに表題を紐付けて写真データベースに格納する。
【００５０】
図４に、写真データベースの論理的な構成の一例を示す。
写真データベースは、「ユーザＩＤ」、「表題ＩＤ」、「ＩＤパターン」、「表題」、「写真データ」などの各項目に区分され、各項目にデータが記憶されている。
【００５１】
項目「ユーザＩＤ」で区分された領域には、写真管理システム２０を利用する各ユーザに対して一意に付与した識別情報であるユーザＩＤが格納されている。
写真預かりサーバ２１は、これらユーザＩＤにより各ユーザを特定することができる。
【００５２】
項目「表題ＩＤ」で区分された領域には、ユーザが写真グループに対して設定した表題の識別情報である表題ＩＤが格納されている。表題ＩＤは、表題に対して写真預かりサーバ２１が自動的に設定する。
このように、表題ＩＤは、表題ごとに設定されるため、１つのユーザＩＤに複数の表題ＩＤを対応付けることができる。
【００５３】
項目「ＩＤパターン」で区分された領域には、表題ＩＤに対応付けられたＩＤパターン画像データが格納されている。
ＩＤパターン画像データは、表題ＩＤと１対１に対応しており、ＩＤパターンによって表題ＩＤが特定できるようになっている。
【００５４】
項目「表題」で区分された領域には、ユーザ端末２２から写真データと共に送信されてきた表題が格納されている。
表題は、ユーザが自由に設定することができる。例えば、「遠足」、「花見」などと表題を設定することにより、ユーザは写真グループの内容を容易に判別することができる。
【００５５】
項目「写真データ」で区分された領域には、ユーザがアップロードした写真データが格納されている。この領域には、複数の写真データを格納することが可能である。このように、項目「写真データ」に区分された領域に複数の写真データを格納することによりこれらの写真データをグループ化することができる。
【００５６】
各写真データには、例えば、「０００１．ｊｐｇ」などとファイル名が付与されており、この領域に格納されている各写真データはファイル名によって識別することができる。
【００５７】
項目「写真データ」で区分された領域は、表題ＩＤと１対１に対応している。そのため、写真預かりサーバ２１は、ユーザＩＤと表題ＩＤにより、写真グループを特定することができる。
更に、この写真グループ内のファイル名が指定されると、写真預かりサーバ２１は、この写真グループ内の写真データを特定することができる。
【００５８】
また、図示しないが、表題に対応させて項目「一言日記」を設定することもできる。
この項目には、例えば、表題「遠足」に対して「富士山に登った。天気はよかったが風が強かった。山小屋でコーヒーを飲んで一服した。」などと、写真グループに対してユーザが設定したメッセージを格納することができる。メッセージは、写真データのアップロードの際にユーザが設定する。
【００５９】
更に、写真データとして動画データをアップロードするように構成することもできる。この場合、ユーザは動画の一場面を見出し写真２５として印刷し、これにＩＤシート１３を貼付する。
【００６０】
以上のように、写真データベースを構成することにより、ユーザは、例えば、遠足に行ったときの写真データや花見に行ったときの写真データなど、写真データを撮影したイベントごとにグループ化して管理することができる。
【００６１】
なお、図４に示した写真データベースの構成は一例であって、データベースの構成を限定するものではない。例えば、リレーショナルデータベースによって、表題ＩＤとＩＤパターンを別のデータベースにするなど、より効率的なデータベースを構築することができる。
【００６２】
（３）表題ＩＤの通知
図２に戻り、ユーザ端末２２が写真預かりサーバ２１の預かりサイトに写真データと表題を送信すると、この表題に対して写真データベースで紐付けられたＩＤパターンのＩＤ画像が写真預かりサーバ２１から送信されてくる。
ユーザ端末２２は、写真預かりサーバ２１からＩＤ画像を受信してＲＡＭ（Ｒａｎｄｏｍ  Ａｃｃｅｓｓ  Ｍｅｍｏｒｙ）などの記憶装置に記憶する。
【００６３】
（４）ＩＤ画像の印刷
ユーザ端末２２は、写真預かりサーバ２１から受信して記憶しておいたＩＤ画像を用いて、プリンタ２３にＩＤシート１３を印刷させる。
より詳細には、まず、ユーザがＩＤシート１３を印刷するための透明シートを手差しなどにてプリンタ２３にセットしておき、ユーザインターフェースにて表示されたプリントボタンをユーザがクリックするなどして印刷が開始される。
【００６４】
（５）見出し写真２５の印刷
ユーザは、写真預かりサーバ２１に送信した写真データのうち、見出しとして用いるものを選んでこれをプリンタ２３で印刷する。この写真は、ユーザが写真から写真グループを判別できるように、写真グループの中で代表的なものを選ぶようにする。
【００６５】
（６）見出し写真２５にＩＤシート１３を貼付
ユーザは、ＩＤシート１３、及び見出し写真２５を印刷すると、ＩＤシート１３の裏の保護シートを剥がし、図５に示したように、これを見出し写真２５の表面に貼付する。
【００６６】
図５に示したように、ＩＤシート１３には、ＩＤ画像によって表題ＩＤがシート全体に拡散して印刷されている。図の例では、一例として表題ＩＤ「００１」に対応するＩＤパターンを逆フーリエ変換したＩＤ画像が印刷されている。
【００６７】
ＩＤシート１３は透明シートであり、印刷されたＩＤ画像はインクが目立ちにくい色であるほか、ＩＤ画像が印刷面全体に拡散するため、見出し写真２５に印刷された画像が透けて見え、見出し写真２５を容易に視認（目視認識）することができる。
【００６８】
（７）ＩＤ画像の撮影
図２に戻り、ユーザは、写真預かりサーバ２１の閲覧サイトを利用する場合、まず、携帯電話２６で見出し写真２５を撮影する。すると、ＩＤシート１３に印刷されているＩＤ画像も共に撮影される。
このようにして撮影されたＩＤ画像と見出し写真２５の撮影画像データは、携帯電話２６に内蔵されているＥＥＰＲＯＭなどの記憶装置に格納される。
【００６９】
（８）撮影画像データの送信
次に、ユーザは、携帯電話２６で写真預かりサーバ２１の閲覧サイトにアクセスし、ユーザＩＤとパスワードでユーザ認証を受ける。ユーザ認証により写真預かりサーバ２１は、アクセスしてきたユーザのユーザＩＤを特定することができる。
ユーザ認証を行ってログインした後、ユーザは、携帯電話２６から見出し写真２５を撮影した撮影画像データを写真預かりサーバ２１に送信する。
【００７０】
（９）サムネイルデータの受信
写真預かりサーバ２１は、携帯電話２６から撮影画像データを受信すると、これをフーリエ変換し、ＩＤパターンを抽出する。写真預かりサーバ２１は、このＩＤパターンにより表題ＩＤを特定することができる。
写真預かりサーバ２１、ユーザ認証で取得したユーザＩＤと、ＩＤパターンから抽出した表題ＩＤを用いて写真データベースを検索し、これらのユーザＩＤと表題ＩＤに対応付けられている写真グループを特定する。
【００７１】
そして、写真預かりサーバ２１は、この写真グループに属する写真データから各々の写真データのサムネイル画像データを生成する。
ここで、サムネイルとは多数の画像を一覧表示するために縮小された画像であり、サムネイルを表示するための画像データがサムネイル画像データである。
【００７２】
ユーザは、サムネイルを参照することにより、写真データの画像の概略を把握することができる。
携帯電話２６でサムネイル一覧画面を表示するためのサムネイル一覧画面データを生成し、携帯電話２６に送信する。
【００７３】
携帯電話２６は、写真預かりサーバ２１からサムネイル画面データを受信し、これを用いてサムネイル一覧画面を表示する。
ユーザは、サムネイル一覧画面を参照することにより、写真グループに含まれる写真データの各々を認識することができる。
【００７４】
ユーザが携帯電話２６上でサムネイルの何れかを選択すると、このサムネイルに対応する写真データが写真預かりサーバ２１から送信され、ユーザが選択した写真が携帯電話２６の表示装置に表示される。
【００７５】
図６（ａ）は、携帯電話２６の表示装置に表示されたサムネイル画面の一例を示した図である。
携帯電話２６の表示装置の画面３０には、ユーザが選択した表題に属する写真データのサムネイル３１、３１、・・・が一覧表示される。
【００７６】
ユーザは、携帯電話２６の操作ボタンなどを用いてこれらのサムネイル３１の中から所望のものを選択することができる。
ユーザがサムネイル３１のうち何れかを選択すると、図６（ｂ）に示したように、ユーザが選択したサムネイル３１に対応する写真データによる画像が画面３０に表示される。
【００７７】
なお、写真預かりサーバ２１に動画データをアップロードした場合は、動画の一場面をサムネイルでユーザに提示し、ユーザが何れかを選択すると、その動画を携帯電話２６で再生するように構成することができる。
【００７８】
図７は、ユーザ端末２２を用いて写真データを写真預かりサーバ２１にアップロードする手順を説明するためのフローチャートである。
以下の手順は、ユーザ端末２２が備えたＣＰＵ（Ｃｅｎｔｒａｌ  Ｐｒｏｃｅｓｓｉｎｇ  Ｕｎｉｔ）、と写真預かりサーバ２１が備えたＣＰＵが所定のプログラムに従って行うものである。
【００７９】
ユーザ端末２２は、アップロードするための写真データを既に記憶しているものとする。
まず、ユーザは、ユーザ端末２２でブラウザプログラムを実行し、ブラウザを起動する。
【００８０】
ユーザは、ブラウザに写真預かりサーバ２１の預かりサイトに接続するための接続情報（例えば、ＵＲＬ（Ｕｎｉｆｏｒｍ  Ｒｅｓｏｕｒｃｅ  Ｌｏｃａｔｏｒｓ））を入力し、ユーザ端末２２から預かりサイトにアクセスする（ステップ５）。
【００８１】
写真預かりサーバ２１は、ユーザ端末２２からアクセスを受けると、ログイン画面を表示するためのログイン画面データをユーザ端末２２に送信する（ステップ１０）。
【００８２】
ユーザ端末２２は、写真預かりサーバ２１からログイン画面データを受信し、これを用いて表示装置にログイン画面を表示する。
ログイン画面には、ユーザＩＤを入力するユーザＩＤ入力欄や、パスワードを入力するためのパスワード入力欄、及び入力された値を写真預かりサーバ２１に送信するための送信ボタンなどが設けられている。
【００８３】
ユーザは、ログイン画面からユーザＩＤとパスワードを入力し、送信ボタンをマウスでクリックするなどして選択する。
すると、ユーザ端末２２は、ユーザから入力されたユーザＩＤとパスワードを写真預かりサーバ２１に送信する（ステップ１５）。
【００８４】
写真預かりサーバ２１は、ユーザ端末２２からユーザＩＤとパスワードを受信し、これらを用いてユーザ認証を行う（ステップ２０）。
写真預かりサーバ２１は、各ユーザのユーザＩＤとパスワードのほか、住所、電話番号などの個人情報を記憶したユーザ登録データベースを備えている。
【００８５】
そして、写真預かりサーバ２１は、ユーザ登録データベースに記憶されているユーザＩＤ及びパスワードの組み合わせと、ユーザ端末２２から送信されてきたユーザＩＤ及びパスワードの組み合わせを照合することよりユーザ認証を行う。
これによって、写真預かりサーバ２１は、アクセスしてきたユーザのユーザＩＤを特定することができる。
【００８６】
写真預かりサーバ２１は、ユーザ認証に成功した場合、預かり受付画面を表示するための預かり受付画面データをユーザ端末２２に送信する（ステップ２５）。
ユーザ認証に失敗した場合、写真預かりサーバ２１は、その旨を表示するための画面データをユーザ端末２２に送信し、ユーザのログイン処理を中止する。
【００８７】
ユーザ端末２２は、写真預かりサーバ２１から預かり受付画面データを受信し、表示装置に預かり受付画面を表示する。
預かり受付画面には、アップロードする写真データを指定するための写真データ指定欄や、これら写真データのグループに設定する表題を入力するための表題入力欄のほか、これらのデータを写真預かりサーバ２１に送信するための送信ボタンなどが配置されている。また、一言日記を記入する欄を設けることもできる。
【００８８】
ユーザが送信ボタンを選択すると、写真預かりサーバ２１は、写真データ指定欄で指定された写真データを記憶装置から読み出して写真預かりサーバ２１に送信し、更に、表題入力欄に入力された表題を写真預かりサーバ２１に送信する（ステップ３０）。
【００８９】
写真預かりサーバ２１は、ユーザ端末２２から写真データと表題を受信し、この表題に対して表題ＩＤを発行する（ステップ３５）。
次に、写真預かりサーバ２１は、このユーザのユーザＩＤと、ステップ３５で発行した表題ＩＤを用いて写真データベースに、ユーザ端末２２から受信した写真データを格納する領域を確保し、ここに写真データを格納する（ステップ４０）。
次に、写真預かりサーバ２１は、ステップ３５で発行した表題ＩＤに対応するＩＤパターンのＩＤ画像データをユーザ端末２２に送信する（ステップ４５）。
【００９０】
ユーザ端末２２は、写真預かりサーバ２１からＩＤ画像データを受信し、ハードディスクなどの記憶装置にこれを記憶する。
次に、ユーザは、プリンタ２３に透明シートを供給してユーザ端末２２にＩＤシート１３の印刷を命じる。
【００９１】
ユーザ端末２２は、記憶装置に記憶したＩＤ画像データを用いて印刷データを生成し、プリンタ２３にＩＤ画像を印刷させる（ステップ５０）。
【００９２】
図８は、携帯電話２６を用いて写真預かりサーバ２１に保管してある写真データにアクセスする手順を説明するためのフローチャートである。
以下の処理は、携帯電話２６が備えるＣＰＵと写真預かりサーバ２１が備えるＣＰＵが所定のプログラムに従って行うものである。
【００９３】
まず、ユーザは、携帯電話２６のカメラ機能を用いて見出し写真２５を撮影する（ステップ１０５）。
見出し写真２５の表面には、ＩＤシート１３が貼り付けられている。そのため、携帯電話２６は、見出し写真２５の絵柄を背景とするＩＤシート１３の画像を撮影することができる。
【００９４】
次に、ユーザは、携帯電話２６のブラウザを起動する。そして、ブラウザから写真預かりサーバ２１の閲覧サイトへの接続情報を入力し、携帯電話２６を写真預かりサーバ２１の閲覧サイトに接続する（ステップ１１０）。
【００９５】
写真預かりサーバ２１は、閲覧サイトにアクセスを受けると、携帯電話２６にログイン画面データを送信する（ステップ１１５）。
携帯電話２６は、写真預かりサーバ２１からログイン画面データを受信し、表示装置にログイン画面を表示する。
ユーザは、ログイン画面からユーザＩＤとパスワードを入力し、写真預かりサーバ２１に送信する（ステップ１２０）。
【００９６】
写真預かりサーバ２１は、携帯電話２６からユーザＩＤとパスワードを受信し、これらを用いてユーザ認証を行う（ステップ１２５）。これによって、写真預かりサーバ２１は、ユーザを特定することができる。
ユーザ認証に失敗した場合、写真預かりサーバ２１は、ユーザのログイン処理を中止する。
ユーザ認証に成功した場合、写真預かりサーバ２１は、携帯電話２６に閲覧受付画面データを送信する（ステップ１３０）。
【００９７】
携帯電話２６は、写真預かりサーバ２１から閲覧受付画面データを受信し、これを用いて表示装置に閲覧受付画面を表示する。
閲覧受付画面では、携帯電話２６で記憶している画像データを指定できるようになっており、ユーザは、ステップ１０５で撮影した撮影データを指定して、これを写真預かりサーバ２１に送信する（ステップ１３５）。
【００９８】
写真預かりサーバ２１は、携帯電話２６から撮影データを受信すると、これをフーリエ変換し、ＩＤパターンを抽出する（ステップ１４０）。
次に、写真預かりサーバ２１は、抽出したＩＤパターンを用いてこれに紐付けられている表題ＩＤを特定する（ステップ１４５）。
【００９９】
次に、写真預かりサーバ２１は、ユーザ認証で得たユーザＩＤと、ＩＤパターンから特定した表題ＩＤを写真データベースで検索し、写真グループを特定する。そして、写真グループに含まれる写真データを用いてサムネイルデータを生成する。なお、サムネイルデータは予め生成しておいてもよい。
【０１００】
次に、写真預かりサーバ２１は、サムネイルデータを用いてサムネイルを一覧するためのサムネイル画面データを生成し、携帯電話２６に送信する（ステップ１５０）。
【０１０１】
携帯電話２６は、写真預かりサーバ２１からサムネイル画面データを受信し、これを用いて表示装置にサムネイル画面を表示する（ステップ１５５）。
ユーザは、携帯電話２６を操作し、表示されたサムネイルから所望のものを選択する（ステップ１６０）。
【０１０２】
サムネイルが選択されると、携帯電話２６は、当該サムネイルを特定するサムネイル特定情報を写真預かりサーバ２１に送信する（ステップ１６５）。
写真預かりサーバ２１は、携帯電話２６からサムネイル特定情報を受信し、これを用いてユーザが選択したサムネイルを特定する。
【０１０３】
そして、写真預かりサーバ２１は、特定したサムネイルに対応する写真データを写真データベースから検索して、これを携帯電話２６に送信する（ステップ１７０）。
携帯電話２６は、写真預かりサーバ２１から写真データを受信し、表示装置に表示する（ステップ１７５）。
【０１０４】
図９は、ユーザ端末２２のハードウェア的な構成の一例を示したブロック図である。
ユーザ端末２２は、ＣＰＵ５１、ＲＡＭ５２、ＲＯＭ（Ｒｅａｄ  Ｏｎｌｙ  Ｍｅｍｏｒｙ）５３、入力装置５４、表示装置５５、印刷装置インターフェース５６、通信制御装置５７、記憶装置５８、記憶媒体駆動装置５９、入出力Ｉ／Ｆ（インターフェース）６０などの各機能部がバスライン５０で接続されて構成されている。
【０１０５】
ＣＰＵ５１は、所定のプログラムに従って、各種の演算処理、及び情報処理やユーザ端末２２を構成する各構成要素の制御を行ったりする中央処理装置である。
ＣＰＵ５１は、カメラ２４から写真データを取り込んだり、写真データを写真預かりサーバ２１にアップロードしたり、あるいは、プリンタ２３にＩＤ画像や写真を印刷させたりする。
【０１０６】
ＲＯＭ５３は、ユーザ端末２２を動作させるための基本的なプログラムやデータなどを記憶した読み出し専用のメモリである。
ＲＡＭ５２は、ＣＰＵ５１が動作するためのワーキングエリアを提供する読み書き可能なメモリである。
【０１０７】
入力装置５４は、ユーザの操作により情報の入力を受け付けるハードウェアであって、キーボード、マウス、その他の入力装置を備えている。
ユーザは、入力装置５４を操作することにより、ユーザ端末２２を操作して、カメラ２４から写真を取り込んだり、写真預かりサーバ２１に送信するユーザＩＤやパスワードを入力したり、あるいは、写真預かりサーバ２１にアップロードする写真データを選択したりすることができる。
【０１０８】
表示装置５５は、文字情報や画像情報を表示する表示装置を備えており、ブラウザによる画面（写真預かりサーバ２１のウェブサイトが提供する画面など）や、カメラ２４やプリンタ２３の操作画面などを表示することができる。
表示装置５５は、例えば、液晶ディスプレイ、プラズマディスプレイ、その他のディスプレイ装置で構成されている。
【０１０９】
通信制御装置５７は、ユーザ端末２２をネットワークに接続する機能部である。ユーザ端末２２は、通信制御装置５７を介して、写真預かりサーバ２１と通信を行うことができる。
【０１１０】
印刷装置インターフェース５６は、ユーザ端末２２をプリンタ２３に接続するためのインターフェースである。
写真預かりサーバ２１は、印刷装置インターフェース５６を介してプリンタ２３と通信することにより、プリンタ２３に印刷データを送信したり、あるいは印刷色、階調などのパラメータを設定することができる。
【０１１１】
記憶媒体駆動装置５９は、装着された着脱可能な記憶媒体を駆動し、データの読み書きを行う機能部である。
読み書き可能な記憶媒体としては、例えば、フレキシブルディスク、光磁気ディスク、半導体記憶装置、磁気テープ、紙テープがある。
また、読み取り専用の記憶媒体としては、例えば、ＣＤ−ＲＯＭなどの光ディスク類がある。
【０１１２】
ユーザ端末２２は、記憶媒体駆動装置５９に装着した記憶媒体からプログラムのインストールなどを行うことができるほか、記憶媒体に記憶された写真データを取り込むこともできる。
【０１１３】
入出力Ｉ／Ｆ６０は、ユーザ端末２２を外部周辺機器に接続するためのインターフェースである。ユーザ端末２２は、入出力Ｉ／Ｆ６０を介してカメラ２４と通信することができ、これによって、カメラ２４から写真データを取り込むことができる。
【０１１４】
記憶装置５８は、例えば、ハードディスクなどで構成された大容量で読み書き可能な記憶装置である。
記憶装置５８には、プログラム類を格納したプログラム格納部６１とデータ類を記憶したデータ格納部６２が形成されている。
【０１１５】
プログラム格納部６１には、ＯＳ（Ｏｐｅｒａｔｉｎｇ  Ｓｙｓｔｅｍ）のほか、ブラウザ機能を実現するブラウザプログラム、プリンタ２３を操作するための印刷プログラムなどが格納されている。
【０１１６】
データ格納部６２には、例えば、カメラ２４から取り込んだ写真データなどの各種データが格納されている。
ユーザ端末２２は、データ格納部６２に格納した写真データを写真預かりサーバ２１にアップロードする。
なお、写真データをアップロードした後は、写真預かりサーバ２１で写真データが管理されるため、データ格納部６２に記憶した写真データを消去してもよい。
【０１１７】
以上に説明した本日実施の形態では、汎用のパーソナルコンピュータなどで構成されたユーザ端末２２と、汎用のプリンタなどを用いたプリンタ２３を用いてＩＤシート１３を印刷したが、業務用などにユーザ端末２２とプリンタ２３の機能を１つにまとめた専用機を構成することもできる。
【０１１８】
以上、ユーザ端末２２のハードウェア的な構成について説明したが、写真預かりサーバ２１、及び携帯電話２６のハードウェア的な構成も基本的に同じである。
写真預かりサーバ２１の場合、記憶装置５８に対応する構成要素に、ユーザ登録データベースや写真データベースなどを格納している。
【０１１９】
また、ユーザ端末２２は、パーソナルコンピュータや専用機のほかにゲーム機など、他の端末装置で構成することもできる。
更に、携帯電話２６は、例えば、ＰＤＡ（Ｐｅｒｓｏｎａｌ  Ｄｉｇｉｔａｌ  Ａｓｓｉｓｔａｎｔ）やその他の携帯端末装置で構成することができる。
【０１２０】
以上のようにして、ユーザは、閲覧サイトにログインした後、見出し写真を撮影した撮影データを送信するだけで、見出し写真の写真グループに含まれる写真を利用することができる。
このため、ユーザは、見出し写真以外の写真は印刷する必要が無く、写真預かりサーバ２１で管理することができる。
【０１２１】
なお、本実施の形態では、ユーザ端末２２から写真データをアップロードし、携帯電話２６で写真を閲覧したが、写真データアップロードと写真の閲覧は、写真預かりサーバ２１にアクセス可能な端末であれば、何れの端末からも可能である。また、アップロードした写真データをダウンロードすることも可能である。
【０１２２】
このため、例えば、ユーザ端末２２から閲覧サイトにアクセスして、写真を閲覧したり、あるいは写真データのダウンロードを行ったりできるほか、携帯電話２６で撮影した写真の写真データを携帯電話２６から直接写真預かりサーバ２１にアップロードすることもできる。
【０１２３】
写真データを写真預かりサーバ２１にアップロードし、これを他のユーザに提供するコトもできる。
例えば、遠足に行ったときの写真データを写真預かりサーバ２１にアップロードしておき、遠足に参加した友人に、ユーザＩＤとＩＤ画像を配布する。
友人は、写真預かりサーバ２１にゲストとしてログインし、配布を受けたユーザＩＤとＩＤ画像を写真預かりサーバ２１に送信すると、遠足の写真にアクセスすることができる。
【０１２４】
また、ＩＤシート１３の裏面の粘着材は、見出し写真２５からの剥離と再度の粘着が可能なものを使用することもできる。
このように、粘着と剥離が可能な粘着材を利用することにより、見出し写真２５に一端貼り付けたＩＤシート１３を剥がして再度貼り直すことができる。
【０１２５】
このため、ＩＤシート１３を他の見出し写真２５に貼り替えたり、あるいは、ＩＤシート１３の粘着位置を補正したりすることができる。
見出し写真２５の絵柄とＩＤシート１３の相対位置によって、ＩＤ画像の読み取り精度が変化するため、再粘着できる粘着材により、写真管理システム２０の安定性を高めることができる。
【０１２６】
次に、ワインボトルのラベルにＩＤシート１３を貼付する例について説明する。この例は、ワインボトルにＵＲＬと紐付けたＩＤシート１３を貼付し、ユーザが携帯電話２６でＩＤシート１３を撮影すると、このＵＲＬに携帯電話２６を自動的に接続するものである。
【０１２７】
図１０は、ワインボトル４１とＩＤシート１３の関係を説明するための図である。ワインボトル４１には、ワインが瓶詰めされており、ボトル開口部はコルク栓にて密閉されている。
ワインボトル４１の表面には、ワインラベル４２が貼付されている。ワインラベル４２は、ワインボトル４１に封入されているワインをイメージする絵柄が描かれており、意匠的なデザイン価値を有している。
【０１２８】
一方、ＩＤシート１３は、ＩＤパターンと紐付けられたＩＤ画像が印刷された透明シートであり、このＩＤパターンは、後述のＵＲＬサーバにてワイン関連業者の広告ウェブサイトのＵＲＬと紐付けられている。
即ち、ＩＤシート１３に印刷されたＩＤ画像は、この広告ウェブサイトに紐付けられている。
【０１２９】
ＩＤシート１３は、ワインの小売店舗にてワインラベル４２の表面に貼付される。
ＩＤシート１３は、透明シートであり、ＩＤ画像は、目立たない色でＩＤシート１３全体に拡散しているため、下地のワインラベル４２の絵柄が透けて見える。
このように、ＩＤシート１３をワインラベル４２に貼付することにより、ワインラベル４２の意匠を損ねずに情報を後付することができる。
【０１３０】
また、ワインラベル４２が例えば、黄色を基調とするデザインである場合に、ＩＤ画像を緑で印刷するなど、ワインラベル４２のデザインに応じて印刷色を設定することもできる。
【０１３１】
図１１は、ＩＤシート１３などの貼付工程の一例を示した図である。
工場は、ワインボトル４１にワインを瓶詰めして栓をした後、ワインボトル４１の表面にワインラベル４２を貼付する。
【０１３２】
更に、工場は、ワインラベル４２を貼付したワインボトル４１を梱包箱４３に箱詰めする。そして、工場は、梱包箱４３に商品名や工場名などを印刷した梱包ラベル４４を貼付し、小売店に宛てて出荷する。
【０１３３】
小売店は、梱包箱４３を受け取ると共にＩＤシート１３を用意する。そして、小売店は、ワインボトル４１を梱包箱４３から取り出し、ＩＤシート１３をワインラベル４２に貼付して販売する。
このように、ワインラベル４２や梱包ラベル４４といった可視情報は工場で付与し、非可視情報は工場出荷後に付与することができる。
【０１３４】
図１２は、広告提供システムのＩＤシート１３を利用して広告の提供を行う広告システムのシステム構成を示した図である。
広告システムは、ＵＲＬサーバ４５、広告サーバ４６、ＩＤシート１３を貼付したワインボトル４１、携帯電話２６などから構成されている。
以下、図１２の括弧に示した順番に従って説明する。
【０１３５】
（１）ＩＤ画像の取得
ユーザ（ワインの消費者）は、ワインを購入した後、又は購入前に携帯電話２６を用いてＩＤシート１３を撮影する。
これによって、ＩＤシート１３に印刷されたＩＤ画像がワインラベル４２の絵柄と共に撮影される。
携帯電話２６は、撮影した撮影画像データを内部の記憶装置に記憶する。
【０１３６】
（２）撮影画像データの送信
ユーザは、ＩＤシート１３を撮影した後、携帯電話２６のブラウザを起動してＵＲＬサーバ４５のウェブサイトのＵＲＬを入力し、携帯電話２６をＵＲＬサーバ４５に接続する。
そして、ユーザは、携帯電話２６をＵＲＬサーバ４５に接続した後、記憶装置に記憶してある撮影画像データをＵＲＬサーバ４５に送信する。
【０１３７】
（３）ＵＲＬの受信
ＵＲＬサーバ４５は、携帯電話２６から撮影画像データを受信すると、これをフーリエ変換し、ＩＤパターンを復元・抽出する。
ＵＲＬサーバ４５は、ＩＤパターンとＵＲＬを対応させたＵＲＬデータベースを備えており、復元したＩＤパターンをＵＲＬデータベースで検索する。
そして、ＵＲＬサーバ４５は、検索したＵＲＬを携帯電話２６に送信する。
【０１３８】
（４）広告ウェブサイトへの接続
携帯電話２６は、ＵＲＬサーバ４５から受信したＵＲＬを用いて広告サーバ４６の広告ウェブサイトに接続する。
携帯電話２６の表示装置には、広告ウェブサイトによる広告画面が表示され、ユーザは、これによって広告を閲覧することができる。
【０１３９】
図１３は、携帯電話２６で表示された広告の一例を示した図である。
図１３は、ワイン教室からのお知らせに関する広告であり、講座内容、受講料、連絡先などが表示されている。
ユーザは、広告を参照し、興味がある場合は、ワイン教室に連絡してより詳細な情報を得ることができる。
【０１４０】
このワイン教室の広告例のように、地域が限定され、小規模で一過性の情報を提供したい場合は、ワインラベルに情報を印刷したり、あるいはワイン工場で情報を付加するのは適しておらず、流通経路の末端である小売店舗などで貼付する（インストアマーキング）のが適している。
このように後付で付加するのに適した情報としては、例えば、商品広告、イベント情報、懸賞情報、同好会の会員募集情報などがある。
【０１４１】
また、ＩＤ画像はＩＤシート１３全体に拡散して模様を形成するため、ＩＤ画像自体が美的側面を有する。
そのため、ワインラベル４２にＩＤシート１３を貼付することにより、ＩＤ画像自体を壁紙的に（即ち、背景の絵柄）として利用することも可能である。
【０１４２】
更に、流通経路の末端で付与するもののほか、生産現場で情報を後付する（ソースマーキング）のに用いることもできる。
例えば、食品の安全性への関心が急激に高まっており、牛肉の生産のように、上流工程から下流工程にかけて複数の業者に渡って製品が生産される場合の履歴管理（トレーサビリティ）に利用することができる。
【０１４３】
このように、上流工程から下流工程へ中間製品を送りながら製品を生産する場合、中間製品を製造する現場では、製造データをサーバ装置にアップロードし、その情報へアクセスするためのＩＤ情報をＩＤシート１３に印刷して中間製品に貼付する。
【０１４４】
次の工程の現場では、中間製品に貼付されているＩＤシート１３を用いてサーバにアップロードされた前工程での製造データにアクセスすることができる。
中間製品の梱包などに、目立たないように情報を後付したい場合、ＩＤシート１３を用いると特に有効である。
【０１４５】
本実施の形態では、ＩＤシート１３を用いてワインボトル４１に広告情報を後付したが、この他にＩＤシート１３を用いてワインの個体識別情報をワインボトル４１に付与することも可能である。
ワインボトル４１に個体識別情報を付与することにより、生産地、生産年月日、生産者などの当該ワインに固有な情報を提供することができる。
【０１４６】
ＩＤシート１３を撮影して個体識別情報を用いてウェブサイトに接続すると、そのウェブサイトで当該ワインのブドウがとれたブドウ畑の画像、生産者の紹介、現地の案内情報、当該ワインの楽しみ方など、木目の細かい情報を提供するように構成することができる。
また、個体識別情報は、消費者に情報を提供するのみならず、生産工程で用いて履歴管理に用いることもできる。
【０１４７】
以上に説明した本実施の形態により次のような効果を得ることができる。
（１）物品の外観を損なわないように、情報を後付することができる。
（２）ＩＤシートの上から、ＩＤシートの貼付されている部分の絵柄を視認することができる。
【０１４８】
（３）ＩＤ画像の印刷に特殊インクなどは用いず、汎用の印刷機、及び検出器にて利用することができる。
（４）汎用の印刷機、検出器にてＩＤ画像を利用できるため、不特定のユーザに対してサービスを提供することができる。
（５）中間製品にＩＤシートを適用することにより商品履歴の管理を行うことが可能となる。
【０１４９】
（６）ユーザに提供する情報はサーバから提供するため、メディアサイズ（ＩＤシート１３のサイズ）に依存しない情報量を提供することができる。
【図面の簡単な説明】
【０１５０】
【図１】本実施の形態で用いるＩＤパターンとＩＤ情報の関係について説明するための図である。
【図２】写真管理システムのシステム構成を示した図である。
【図３】２値ドットの配置により面積階調を行う場合を説明するための図である。
【図４】写真データベースの論理的な構成の一例を示した図である。
【図５】ＩＤシートの使用形態を説明するための図である。
【図６】写真データの閲覧形態を説明するための図である。
【図７】写真データをアップロードする手順を説明するためのフローチャートである。
【図８】写真データにアクセスする手順を説明するためのフローチャートである。
【図９】ユーザ端末のハードウェア的な構成の一例を示したブロック図である。
【図１０】ＩＤシートの他の例に係る利用形態を説明するための図である。
【図１１】ＩＤシートなどの貼付工程の一例を示した図である。
【図１２】ＩＤシートを用いた広告システムのシステム構成を示した図である。
【図１３】携帯電話で表示された広告の一例を示した図である。
【符号の説明】
【０１５１】
１３  ＩＤシート
２０  写真管理システム
２１  写真預かりサーバ
２２  ユーザ端末
２３  プリンタ
２４  カメラ
２５  見出し写真
２６  携帯電話
【図１】
2006343893.tif 000003
【図２】
2006343893.tif 000004
【図３】
2006343893.tif 000005
【図４】
2006343893.tif 000006
【図５】
2006343893.tif 000007
【図６】
2006343893.tif 000008
【図７】
2006343893.tif 000009
【図８】
2006343893.tif 000010
【図９】
2006343893.tif 000011
【図１０】
2006343893.tif 000012
【図１１】
2006343893.tif 000013
【図１２】
2006343893.tif 000014
【図１３】
2006343893.tif 000015